(57)【要約】【課題】  スクリーンの不使用時は収納部自体が邪魔になるという課題があった。【解決手段】  矩形状の表示面を有する矩形表示部１２を囲むように位置する枠部１１の内部空間を利用して上側フレーム２１，３２、上側延長フレーム２６，３４、側方支持フレーム２２，３２、下側フレーム２３，３３を収容しておき、かつ、各フレームに対応して上側ロールスクリーン２４，３５や下側ロールスクリーン２５、下側延長ロールスクリーン３６を収容することにより、収納時に邪魔にならず、違和感も生じさせないでテレビジョン１０を楽しんだりプロジェクター用のスクリーンや模様を楽しむことが可能となる。【選択図】  図３
2006115262.tif 000002
【特許請求の範囲】
【請求項１】
矩形表示部と、当該矩形表示部の周囲に枠部を有するとともに、当該矩形表示部の前方にロールスクリーンを張架可能なテレビジョンにおいて、
上記枠部に、外方へ延出されるフレームと、当該フレームにて張架可能なロールスクリーンを収納するにあたり、
上記フレームは、上記枠部における上辺に収納されて上方に延設される上側フレームを有し、当該上側フレームは、上記枠部における側辺に収納されて上方へ伸縮する側方支持フレームにて支持されて上方へ延設され、かつ、上記上側フレームは、下方へ引き延ばすことが可能な上側ロールスクリーンを収容するとともに、当該上側フレームは、左右の側方へそれぞれ伸縮可能な上側延長フレームを収容しており、
また、上記フレームは、上記枠部における下辺に収容されて左右の側方に延設される下側フレームを有するとともに、同下側フレームは、側方に延設された状態で上方へ引き延ばすことが可能な下側ロールスクリーンを収容しており、
上記上側ロールスクリーンは、中央部分で上方から下方へ張架し、上記下側ロールスクリーンは、その外側にて下方から上方へ張架することにより、三つのスクリーンが並設されることを特徴とするテレビジョン。
【請求項２】
矩形表示部と、当該矩形表示部の周囲に枠部を有するとともに、当該矩形表示部の前方にロールスクリーンを張架可能なテレビジョンにおいて、
上記枠部には、外方へ延出されるフレームと、当該フレームにて張架可能なロールスクリーンを収納したことを特徴とするテレビジョン。
【請求項３】
上記フレームは、上記枠部における上辺に収納されて上方に延設される上側フレームを有することを特徴とする上記請求項２に記載のテレビジョン。
【請求項４】
上記上側フレームは、上記枠部における側辺に収納されて上方へ伸縮する側方支持フレームにて支持されて上方へ延設されることを特徴とする上記請求項３に記載のテレビジョン。
【請求項５】
上記上側フレームは、下方へ引き延ばすことが可能な上側ロールスクリーンを収容することを特徴とする上記請求項３または請求項４のいずれかに記載のテレビジョン。
【請求項６】
上記上側フレームは、左右の側方へそれぞれ伸縮可能な上側延長フレームを収容することを特徴とする上記請求項３〜請求項５のいずれかに記載のテレビジョン。
【請求項７】
上記上側延長フレームは、下方へ引き延ばす上側延長ロールスクリーンを収容することを特徴とする上記請求項６に記載のテレビジョン。
【請求項８】
上記フレームは、上記枠部における下辺に収容されて左右の側方に延設される下側フレームを有することを特徴とする上記請求項２〜請求項７のいずれかに記載のテレビジョン。
【請求項９】
上記下側フレームは、側方に延設された状態で上方へ引き延ばすことが可能な下側ロールスクリーンを収容することを特徴とする上記請求項８に記載のテレビジョン。
【請求項１０】
上記ロールスクリーンは、上方から下方に向けて三つのスクリーンを並べて張架するものであることを特徴とする上記請求項２に記載のテレビジョン。
【請求項１１】
上記ロールスクリーンは、中央部分では上方から下方へ張架し、外側では下方から上方へ張架する三つのスクリーンであることを特徴とする上記請求項２に記載のテレビジョン。
【請求項１２】
上記ロールスクリーンは、白地であることを特徴とする上記請求項１〜請求項１１のいずれかに記載のテレビジョン。
【請求項１３】
上記ロールスクリーンは、所定の模様が付されていることを特徴とする上記請求項１〜請求項１１のいずれかに記載のテレビジョン。
【発明の詳細な説明】
【技術分野】
【０００１】
本発明は、テレビジョンに関する。
【背景技術】
【０００２】
近年、テレビジョンの表示画面は大型化している。また、プロジェクターの普及もめざましく、家庭内でスクリーンを備えていることも少なくない。
テレビジョンの前には障害物がないので、その領域を利用してプロジェクター用のスクリーンを配置するものがある。従来、この種の特許文献１に示すものが知られている。
同文献に示すものでは、プロジェクションタイプのテレビジョンであって、本体の左右の側方に水平方向で回動可能なアームに支持される筒状の収納部を有しており、通常は後方に配置された収納部を、使用時は同アームにて本体の左右に移動させ、収納部に収容されているロール状のスクリーンを本体の前面を横切るように張架できる。
【特許文献１】特開２００３−１５２２１号公報
【発明の開示】
【発明が解決しようとする課題】
【０００３】
上述した従来のテレビジョンにおいては、ロール状のスクリーンを筒状の収納部に収容させており、本体の外部に収容している。このため、不使用時は収納部自体が邪魔になるという課題があった。
本発明は、上記課題にかんがみてなされたもので、ロール状のスクリーンなどが不使用時に邪魔にならないようにすることが可能なテレビジョンの提供を目的とする。
【課題を解決するための手段、作用および効果】
【０００４】
上記目的を達成するため、請求項２にかかる発明は、矩形表示部と、当該矩形表示部の周囲に枠部を有するとともに、当該矩形表示部の前方にロールスクリーンを張架可能なテレビジョンにおいて、上記枠部には、外方へ延出されるフレームと、当該フレームにて張架可能なロールスクリーンを収納した構成としてある。
【０００５】
上記のように構成した請求項２にかかる発明においては、通常のテレビジョンが有する矩形表示部の周囲には枠部が存在しており、この部分にフレームとロールスクリーンを収容しているので、不使用時にはこれらが外部に露出することはない。むろん、枠部自体は通常のテレビジョンが有するものであるので、この部位があることによって外観上の変化もない。一方、スクリーンを使用したいときには枠部から必要なフレームを外部に延出させ、さらにロールスクリーンを張架することで矩形表示部の前方にロールスクリーンを配置可能となる。
【０００６】
また、請求項３にかかる発明では、上記フレームは、上記枠部における上辺に収納されて上方に延設される上側フレームを有する構成としてある。
枠部へのフレームの収納の一態様として、上記のように構成した請求項３にかかる発明においては、枠部における上辺に上側フレームを収納し、上方に延設できる。
【０００７】
同上側フレームを上方に延設するための一態様として、請求項４にかかる発明では、上記上側フレームは、上記枠部における側辺に収納されて上方へ伸縮する側方支持フレームにて支持されて上方へ延設される構成としてある。
上記のように構成した請求項４にかかる発明においては、上記枠部における側辺には伸縮可能な側方支持フレームが収納されており、当該側方支持フレームを上方へ伸ばして上記上側支持フレームを上方にて支持することが可能となる。
【０００８】
さらに、請求項５にかかる発明では、上記上側フレームは、下方へ引き延ばすことが可能な上側ロールスクリーンを収容する構成としてある。
上記のように構成した請求項５にかかる発明においては、上方にて支持された上側フレームに収容された上側ロールスクリーンを上方から下方へ引き延ばして張架することができる。
【０００９】
枠部に収納される上側フレームだけでは枠部よりも外側へスクリーンを張架できないので、請求項６にかかる発明では、上記上側フレームは、左右の側方へそれぞれ伸縮可能な上側延長フレームを収容する構成としてある。
上記のように構成した請求項６にかかる発明においては、枠部よりも外側に上側延長フレームが延設されるので、当該部分にてロールスクリーンを張架でき、ロールスクリーン全体の幅を広げることができる。
【００１０】
さらに、請求項７にかかる発明では、上記上側延長フレームは、下方へ引き延ばす上側延長ロールスクリーンを収容する構成としてある。
上記のように構成した請求項７にかかる発明においては、左右へ引き延ばされた状態上側延長フレームに収容された上側ロールスクリーンを下方へ引き延ばし、ロールスクリーン全体の幅を広げることができる。
【００１１】
さらに、請求項８にかかる発明では、上記フレームは、上記枠部における下辺に収容されて左右の側方に延設される下側フレームを有する構成としてある。
上記のように構成した請求項８にかかる発明においては、上記枠部における下辺に収容された下側フレームを左右の側方に延設させ、ロールスクリーンを張架させることができる。
【００１２】
さらに、請求項９にかかる発明では、上記下側フレームは、側方に延設された状態で上方へ引き延ばすことが可能な下側ロールスクリーンを収容する構成としてある。
上記のように構成した請求項９にかかる発明においては、下側フレームを側方に延設された状態で下側ロールスクリーンを上方へ引き延ばすことができ、枠部の外側部分にスクリーンを配置することができる。
【００１３】
さらに、請求項１０にかかる発明では、上記ロールスクリーンは、上方から下方に向けて三つのスクリーンを並べて張架する構成としてある。
上記のように構成した請求項１０にかかる発明においては、ロールスクリーンを左右に三つ並べて張架する態様として、上方から下方に向けて三つのスクリーンを並べることになる。
【００１４】
さらに、請求項１１にかかる発明では、上記ロールスクリーンは、中央部分では上方から下方へ張架し、外側では下方から上方へ張架する三つのスクリーンで構成してある。
上記のように構成した請求項１１にかかる発明においては、ロールスクリーンを左右に三つ並べて張架する態様として、中央部分では上方から下方へ張架し、外側では下方から上方へ張架する。
【００１５】
さらに、請求項１２にかかる発明では、上記ロールスクリーンは、白地で構成してある。
上記のように構成した請求項１２にかかる発明においては、白地のロールスクリーンであるので外部からのプロジェクション画像を投影することができる。
【００１６】
さらに、請求項１３にかかる発明では、上記ロールスクリーンは、所定の模様が付された構成としてある。
【００１７】
上記のように構成した請求項１３にかかる発明においては、所定の模様を付したロールスクリーンを室内で張架することで室内の装飾などに利用できる。
むろん、以上の構成を踏まえた上で、請求項１にかかる発明は、矩形表示部と、当該矩形表示部の周囲に枠部を有するとともに、当該矩形表示部の前方にロールスクリーンを張架可能なテレビジョンにおいて、上記枠部に、外方へ延出されるフレームと、当該フレームにて張架可能なロールスクリーンを収納するにあたり、上記フレームは、上記枠部における上辺に収納されて上方に延設される上側フレームを有し、当該上側フレームは、上記枠部における側辺に収納されて上方へ伸縮する側方支持フレームにて支持されて上方へ延設され、かつ、上記上側フレームは、下方へ引き延ばすことが可能な上側ロールスクリーンを収容するとともに、当該上側フレームは、左右の側方へそれぞれ伸縮可能な上側延長フレームを収容しており、また、上記フレームは、上記枠部における下辺に収容されて左右の側方に延設される下側フレームを有するとともに、同下側フレームは、側方に延設された状態で上方へ引き延ばすことが可能な下側ロールスクリーンを収容しており、上記上側ロールスクリーンは、中央部分で上方から下方へ張架し、上記下側ロールスクリーンは、その外側にて下方から上方へ張架することにより、三つのスクリーンが並設される構成としてある。
このようなより具体的な構成において上述したのと同様な作用を奏することはいうまでもない。
【発明を実施するための最良の形態】
【００１８】
以下、図面にもとづいて本発明の実施形態を説明する。
図１は、本発明の一実施形態にかかるテレビジョンを外観斜視図により示している。  同図において、テレビジョン１０は、枠部１１と、パネル状の矩形表示器１２を備えている。本実施例での枠部１１とは矩形表示器１２を収容しつつ表示面を外部に露出する窓状の開口を有する筺体である。すなわち、矩形表示器１２の表示面を囲む形状をなしつつ、後述するフレームとロールスクリーンを収容し得る空間を確保するものとなっている。従って、筺体でなければならないわけではない。本実施例の矩形表示器１２はパネル状の表示素子のみならずその制御回路をも全て含む一体のものである。むろん、表示素子と制御回路を別体としてそれぞれを上記枠部１１内に収容する構成としておいても良い。
【００１９】
枠部１１の上面における前方側と、側面における下方側には開口とそれを覆蓋するフラップ状の蓋体１１ａ，１１ｂを有している。同蓋体１１ａ，１１ｂを開けるとその内側に空間が形成されており、当該空間内にフレームとロールスクリーンが収容されている。
【００２０】
フレームは、上側フレーム２１と、側方支持フレーム２２，２２と、下側フレーム２３，２３とから構成されている。ここで上側フレーム２１は枠部１１における上辺側の内部空間に収容されており、側方支持フレーム２２，２２は同枠部１１における側辺側の内部空間に収容されており、下側フレーム２３は枠部１１における下辺側の内部空間に収容されている。
【００２１】
また、上側フレーム２１は、上側延長フレーム２６，２６と上側ロールスクリーン２４を収容している。上側延長フレーム２６，２６はおおよそ下側フレーム２３，２３と同じ程度の長さであり、上側フレーム２１の中央部から左右に突き出たり収容できたりする。本実施例では中央部から突き出るようにしているが、前面側から左右に突き出るようになっていても良いなど、突き出る位置は適宜変形可能である。
【００２２】
側方支持フレーム２２，２２は、径の異なる筒状部材を数本入れ子状に重ね合わせて釣り竿のように伸縮可能となっている。むろん、伸長状態において固定するための図示しないロック部材も備えている。側方支持フレーム２２，２２は下端を枠部１１に固定され、上端を上側フレーム２１に固定されている。従って、当該側方支持フレーム２２，２２を上方に伸長させて固定すれば上記上側フレーム２１は枠部１１から外部の上方に突き出た状態おおむね平行なまま支持させることができる。なお、伸縮可能な構成は上記入れ子状のものに限らず、既存の各種構造に適宜変更可能である。
【００２３】
下側フレーム２３，２３は、下側ロールスクリーン２５，２５を収容している。下側フレーム２３，２３は枠部１１の下辺部分から側方に突き出るように引き出すことが可能であり、かつ、引き出された状態でやや前方に移動可能である。
【００２４】
次に、上記構成からなる本実施形態の動作を説明する。
使用するときは、まず、図２に示すように枠部１１の上面の蓋体１１ａと、側面の蓋体１１ｂ，１１ｂを開ける。そして、上方から側方支持フレーム２２，２２を引き延ばすようにして上側フレーム２１を上方へ引き出す。おおむね側方支持フレーム２２，２２が伸びきった状態でロックし、上側フレーム２１は当該位置にて支持される。この状態で上側フレーム２１から左右に上側延長フレーム２６，２６を引き出しておく。
次に、枠部１１の側面の開口から下側フレーム２３，２３を左右外側に延設せしめ、さらに前方へ移動させる。この状態を図３に示している。
【００２５】
そして、最後に上方真ん中に位置する上側フレーム２１から上側ロールスクリーン２４を下方に引き出してテレビジョン１０の下方まで引き下ろし、さらに左右の下側フレーム２３から下側ロールスクリーン２５，２５を上方に引き出し、先端を上側延設フレーム２６，２６に引っかけて固定する。固定部材は特に図示していないが、係止可能なものであれば特に形状を限定するものではない。
【００２６】
このようにして、家庭内ではリビングルームなどに置かれているテレビジョン１０の前方にてロールスクリーンを配置することができ、ここに図示しないプロジェクターなどで画像を表示して楽しむことができる。むろん、各種のフレームは普段は枠部１１内に収容されているので邪魔にもならない。さらに、枠部１１は通常のテレビジョン１０において存在しているので、違和感も生じさせない。また、ロールスクリーン２４，２５は白地であればプロジェクターの投影画面として好適であるし、絵画などの模様を付しておけばタペストリーのように室内の装飾品にもなる。
【００２７】
次に、図５〜図７は本発明の変形例を示している。
上述した実施例においては、中央部でロールスクリーンは上から下に引き下げられ、左右の外側部でロールスクリーンは下から上に引き上げられるようにしている。本実施例においては、三つのロールスクリーンが上から下に引き下げられるようにしている。
【００２８】
上側フレーム３１は、断面が概略ドーナツ状となって上側ロールスクリーン３５を収容しており、かつ、内部の空間には概略半分の長さの二つの上側延長フレーム３４，３４が収容されている。二つの上側延長フレーム３４，３４は、上側フレーム３１内に収容された状態のみならず、それぞれ上側フレーム３１の両端から外方に引き出して突き出すことができるようになっている。また、各上側延長フレーム３４，３４自体も上側延長ロールスクリーン３６，３６を収容している。
【００２９】
上側フレーム３１は、普段、枠部１１における上辺側の内部空間内に収容されており、同枠部１１における側方側の内部空間内に収容された伸縮可能な側方支持フレーム３２，３２を伸ばすことによって枠部１１から上方外部に突き出された状態で支持可能となっている。
【００３０】
枠部１１における下辺側の内部空間内には上記上側延長フレーム３４，３４の長さに相当する下側フレーム３３，３３が収容されており、それぞれ枠部１１の側方から引き出すことができるようになっている。また、それぞれの下側フレーム３３，３３の中央部分には引き出された状態から前方に突出するフック部３３ａ，３３ａを備えられている。
【００３１】
次に、上記構成からなる本実施形態の動作を説明する。
使用するときは、枠部１１の上面の蓋体１１ａと、側面の蓋体１１ｂ，１１ｂを開け、上方から側方支持フレーム３２，３２を引き延ばすようにして上側フレーム３１を上方へ引き出す。おおむね側方支持フレーム３２，３２が伸びきった状態でロックしたら、上側フレーム３１は当該位置にて支持されるので、上側フレーム３１から左右に上側延長フレーム３４，３４を引き出す。
次に、枠部１１の側面の開口から下側フレーム３３，３３を左右外側に延設せしめ、さらにフック部３３ａ，３３ａを前方へ移動させる。この状態を図６に示している。
【００３２】
その後、上側フレーム３１から中央部分の上側ロールスクリーン３５を下方へと引き出し、左右の上側延長フレーム３４，３４から左右の上側延長ロールスクリーン３６，３６を下方へと引き出す。上側ロールスクリーン３５の下端は枠部１１における前面下端に引っかけ、左右の上側延長ロールスクリーン３６，３６の下端は上述したフック部３３ａ，３３ａにて引っかける。この状態を図７に示している。
【００３３】
なお、本実施形態においては、上側フレーム３１に対して略半分の長さの上側延長フレーム３４を左右から収容するようにしたが、図８および図９に示すようにそれぞれ約同じ長さ円柱状の上側フレーム４１と上側延長フレーム４３，４３を上下に重ねるように配置し、二つの上側延長フレーム４３，４３はそれぞれ上側フレーム４１の上方と下方にて左右の反対方向に引き出すことができるように支持する。
このようにすれば三つのほぼ同幅のロールスクリーンを全て上方から下方に引き出すことができ、図７に示すよりも幅広のスクリーンを形成することができるようになる。
【００３４】
このように、矩形状の表示面を有する矩形表示部１２を囲むように位置する枠部１１の内部空間を利用して上側フレーム２１，３２、上側延長フレーム２６，３４、側方支持フレーム２２，３２、下側フレーム２３，３３を収容しておき、かつ、各フレームに対応して上側ロールスクリーン２４，３５や下側ロールスクリーン２５、下側延長ロールスクリーン３６を収容することにより、収納時に邪魔にならず、違和感も生じさせないでテレビジョン１０を楽しんだりプロジェクター用のスクリーンや模様を楽しむことが可能となる。
【図面の簡単な説明】
【００３５】
【図１】本発明の一実施形態にかかる通常時におけるテレビジョンの外観斜視図である。
【図２】同テレビジョンのスクリーン使用開始時における外観斜視図である。
【図３】同テレビジョンのスクリーン使用準備途中における外観斜視図である。
【図４】同テレビジョンのスクリーン使用中における外観斜視図である。
【図５】変形例にかかるテレビジョンの通常時における外観斜視図である。
【図６】同テレビジョンのスクリーン使用準備途中における外観斜視図である。
【図７】同テレビジョンのスクリーン使用中における外観斜視図である。
【図８】さらなる変形例にかかるテレビジョンのスクリーン使用準備途中における外観斜視図である。
【図９】同テレビジョンの次の使用準備途中における外観斜視図である。
【符号の説明】
【００３６】
１０…テレビジョン
１１…枠部
１２…矩形表示部
２１，３２，４１…上側フレーム
２６，３４，４３…上側延長フレーム
２２，３２…側方支持フレーム
２３，３３…下側フレーム
２４，３５…上側ロールスクリーン
２５…下側ロールスクリーン
３６…下側延長ロールスクリーン
【図１】
2006115262.tif 000003
【図２】
2006115262.tif 000004
【図３】
2006115262.tif 000005
【図４】
2006115262.tif 000006
【図５】
2006115262.tif 000007
【図６】
2006115262.tif 000008
【図７】
2006115262.tif 000009
【図８】
2006115262.tif 000010
【図９】
2006115262.tif 000011